(57)【要約】【課題】消費者による被貼付物の購買意欲を高めることを可能とするラベルを提供する。【解決手段】複数枚の複合ラベルからなるラベルセットであって、複数枚の複合ラベルの各々は、剥離可能に裏面側から積層された第１ラベルと第２ラベルを含み、第１ラベルの裏面には粘着剤層が形成され、第２ラベルは、一部を囲むように切り込まれている切込部を有し、第２ラベルの表面のうち切込部に囲まれた部分にはオブジェクトが印刷され、複数枚の複合ラベルの各々に印刷されているオブジェクトが互いに関連している。【選択図】図２
2020052325.tif 000002
【特許請求の範囲】
【請求項１】
複数枚の複合ラベルからなるラベルセットであって、
前記複数枚の複合ラベルの各々は、剥離可能に裏面側から積層された第１ラベルと第２ラベルを含み、
前記第１ラベルの裏面には粘着剤層が形成され、
前記第２ラベルは、一部を囲むように切り込まれている切込部を有し、前記第２ラベルの表面のうち前記切込部に囲まれた部分にはオブジェクトが印刷され、
前記複数枚の複合ラベルの各々に印刷されているオブジェクトが互いに関連している、
ラベルセット。
【請求項２】
前記第１ラベルの表面には、前記オブジェクトと関連する画像が印刷されている、
請求項１に記載されたラベルセット。
【請求項３】
前記複合ラベルは多角形形状であって、
前記複合ラベルのいずれかの頂点である第１頂点において、前記第２ラベルは、第１ラベルの表面が露出するように切欠部を有し、
前記第１頂点からの前記切込部までの距離は、前記複合ラベルの前記第１頂点以外のいずれの頂点からの前記切込部までの距離よりも短い、
請求項１または２に記載されたラベルセット。
【請求項４】
前記第２ラベルの裏面には、前記切込部に囲まれた部分の粘着力が前記切込部に囲まれていない部分の粘着力よりも小さくなるように、粘着剤層が形成されている、
請求項１から３のいずれか１項に記載されたラベルセット。
【請求項５】
前記第２ラベルの裏面には、前記第２ラベルの周縁の一部である第１部分の粘着力が、前記２ラベルの他の部分の粘着力よりも大きくなるように、粘着剤層が形成され、
前記第１ラベルの表面と、前記第２ラベルの裏面とには、一体的な情報が印刷されている、
請求項１から４のいずれか１項に記載されたラベルセット。
【請求項６】
前記複数枚の複合ラベルの各々は、前記第１ラベルと前記第２ラベルの間に介在し、前記第１ラベルおよび前記第２ラベルに対して剥離可能に接着されている第３ラベルをさらに含み、
前記第３ラベルの表面および裏面のいずれか一方の面には、剥離剤層が形成されている、
請求項１から５のいずれか１項に記載されたラベルセット。
【請求項７】
前記第２ラベルの表面には、二次元コードが印刷されており、
前記二次元コードには、前記オブジェクトに関連する情報が含まれる、
請求項１から６のいずれか１項に記載されたラベルセット。
【発明の詳細な説明】
【技術分野】
【０００１】
本発明は、ラベルセット関する。
【背景技術】
【０００２】
従来、ビン等の商品である被貼付物に貼り付けるラベルの表面には、当該商品に関する情報が印刷される。かかるラベルとして、２枚以上のラベルを積層した複合ラベルが知られている（例えば特許文献１）。
【先行技術文献】
【特許文献】
【０００３】
【特許文献１】特開２００４−３５４８１２号公報
【発明の概要】
【発明が解決しようとする課題】
【０００４】
従来、商品である被貼付物に貼り付けられているラベルは専ら被貼付物に関する情報の表示の目的にのみ使用され、基本的に使い捨てであった。しかし、昨今、ラベルには情報の表示の目的だけではなく、ラベルが貼り付けられた商品の販売促進に寄与する付加価値が求められている。
【０００５】
そこで、本発明は、消費者による被貼付物の購買意欲を高めることを可能とするラベルを提供することを目的とする。
【課題を解決するための手段】
【０００６】
本発明のある態様は、複数枚の複合ラベルからなるラベルセットであって、前記複数枚の複合ラベルの各々は、剥離可能に裏面側から積層された第１ラベルと第２ラベルを含み、前記第１ラベルの裏面には粘着剤層が形成され、前記第２ラベルは、一部を囲むように切り込まれている切込部を有し、前記第２ラベルの表面のうち前記切込部に囲まれた部分にはオブジェクトが印刷され、前記複数枚の複合ラベルの各々に印刷されているオブジェクトが互いに関連している。
【発明の効果】
【０００７】
本発明のある態様によれば、消費者による被貼付物の購買意欲を高めることを可能とするラベルを提供することができる。
【図面の簡単な説明】
【０００８】
【図１】実施形態のラベルセットを構成する複数の複合ラベルの平面図である。
【図２】実施形態の複合ラベルが貼り付けられた被貼付物の斜視図である。
【図３】実施形態の複合ラベルの断面図である。
【図４】実施形態の複合ラベルの使用方法を説明する図である。
【発明を実施するための形態】
【０００９】
本発明において「オブジェクト」は、例えば、絵や図像等のイラストレーション（以下、「イラスト」と略記する。）、図柄、写真、文字、記号、マーク等であり、視覚的に認識可能である限り如何なる表示対象をも含む。
本発明において「オブジェクトが互いに関連する」とは、オブジェクト同士の表示形態が類似し、若しくは関連性があること、表示形態が同一であって異なる色、若しくは模様が付されていること等に限られず、オブジェクト同士が共通の事項、若しくは共通の主題を想起させる等の、観念上関連性があることをも意味する。
【００１０】
以下、本発明のラベルセットの一実施形態について、図面を参照しながら説明する。
【００１１】
以下、本実施形態のラベルセット１について、図１〜図３を参照して説明する。
本実施形態のラベルセット１は、複数の複合ラベルを備える。
図１は、本実施形態のラベルセットを構成する複数の複合ラベルの平面図である。図２は、本実施形態のラベルセットに含まれる複合ラベルが貼り付けられた被貼付物２の斜視図である。図３は、実施形態の複合ラベルの断面図である。
【００１２】
図１に示すように、本実施形態のラベルセット１は、複数の複合ラベル１０Ａ〜１０Ｄを備える。本実施形態の例では、複合ラベル１０Ａ〜１０Ｄはそれぞれ矩形形状をなしている。図１に示す例では、ラベルセット１は４個の複合ラベルによって構成されているが、その限りではない。ラベルセット１に含まれる複合ラベルの数は２以上の任意の数でよい。
図２は、ラベルセット１のうち複合ラベル１０Ａが、被貼付物２の表面２Ｓに貼り付けられた状態を示している。本実施形態の例では、被貼付物２は、飲料用ビン（桃ジュース用のビン）である。
【００１３】
図２に例示するように、ラベルセット１を構成する複合ラベル１０Ａ〜１０Ｄは、それぞれ、被貼付物２に貼り付けられて取引される。すなわち、被貼付物２として、複合ラベル１０Ａ〜１０Ｄのうちいずれかの複合ラベルが取り付けられた４種類のものが市場で販売される。
なお、以下の説明では、複合ラベル１０Ａ〜１０Ｄに対して共通の事項を言及するときには、総称して「複合ラベル１０」と表記する。
【００１４】
図１に示すように、複合ラベル１０Ａ〜１０Ｄの表面（おもて面）には、被貼付物２の内容物を示すテキスト情報１０１（図１の例では、「桃ジュース」等のテキスト情報）とともに、それぞれイラスト１０２ａ〜１０２ｄ（オブジェクトの一例）が印刷されている。
複合ラベル１０Ａ〜１０Ｄはすべて同じ被貼付物２に貼り付けられるため、被貼付物２の内容物を示すテキスト情報１０１はすべての複合ラベルで同一である。それに対して、イラスト１０２ａ〜１０２ｄはすべて異なるが、互いに関連している。すなわち、本実施形態の例では、被貼付物２は桃ジュース用のビンであり、日本のおとぎ話の一つである「桃太郎」にちなんで、イラスト１０２ａ〜１０２ｄがそれぞれ、「桃太郎」に登場する桃太郎、犬、猿、キジのイラストであるという点で、互いに関連している。
以下の説明では、イラスト１０２ａ〜１０２ｄに対して共通の事項を言及するときには、総称して「イラスト１０２」と表記する。
【００１５】
複合ラベル１０は、２枚のラベルが積層された構造を有する。すなわち、図３に示すように、複合ラベル１０は、第１ラベル１１と第２ラベル１２が裏面側から積層された構造となっている。第１ラベル１１および第２ラベル１２は、剥離可能に接着されている。
第１ラベル１１の裏面１１Ｒは、被貼付物２ｂの表面２Ｓに貼り付けられる面である。第１ラベル１１の表面（おもて面）１１Ｆは、第２ラベル１２の裏面１２Ｒと接着されている。第２ラベル１２の表面（おもて面）１１Ｆは、テキスト情報１０１およびイラスト１０２が印刷されている面である。後述するが、第１ラベル１１の表面１１Ｆにも情報が印刷されている。
【００１６】
図３に示すように、第１ラベル１１は、基材シート１１１と、基材シート１１１の裏面に形成されて被貼付物２に貼付するための強粘着剤層１１２と、基材シート１１１の表面に順に形成された印刷層１１３および剥離剤層１１４と、を備える。
第２ラベル１２は、基材シート１２１と、基材シート１２１の裏面に形成されて剥離・再貼着可能な弱粘着剤層１２２と、基材シート１２１の表面に形成された印刷層１２３と、を備える。
【００１７】
基材シート１１１，１２１の種類や材質は特に限定されるものではないが、例えば、上質紙、コート紙、アート紙のような紙基材、ＰＥＴ（ポリエチレンテレフタレート）、ＰＥ（ポリエチレン）、ＰＰ（ポリプロピレン）、ＰＳ（ポリスチレン）を素材として合成樹脂フィルムである。その他、前記の合成樹脂フィルムを複数種類組み合わせたシート、合成樹脂フィルムと紙とを合わせた複合シート、あるいは、感熱紙（サーマル紙）でもよい。
基材シート１１１，１２１の厚さは特に限定されないが、例えば１０〜２００μｍである。
【００１８】
強粘着剤層１１２および弱粘着剤層１２２に含まれる粘着剤は、例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤が挙げられる。
粘着剤層の厚さは特に限定されないが、例えば１０〜２５μｍである。
強粘着剤層１１２は、ＪＩＳ  Ｚ１５３８及びＺ０２３７により規定されているステンレス試験板に対する１８０°引きはがし粘着力が、５８８０ｍＮ／２５ｍｍ幅、以上あるものであることが好ましい。
【００１９】
印刷層１１３，１２３は、それぞれ、基材シート１１１，１２１上に情報が印刷されて形成される。印刷層１２３に印刷されている情報は、図１に示したように、テキスト情報１０１とイラスト１０２である。
印刷層１１３に印刷されている情報は、イラスト１０２に関連するテキスト情報やイラスト、図柄等である。なお、印刷層１１３に印刷されている情報は、複合ラベル１０Ａ〜１０Ｄにおいて同一であってもよいし、異なっていてもよい。複合ラベル１０Ａ〜１０Ｄにおいて印刷層１１３に印刷されている情報が異なる場合には、それぞれの情報が関連していることが好ましく、本実施形態の例では、それぞれ「桃太郎」に関連する情報である。複合ラベル１０Ａ〜１０Ｄの印刷層１１３に印刷されている情報は、それぞれイラスト１０２ａ〜１０２ｄに関連する情報であってもよい。
【００２０】
剥離剤層１１４に含まれる剥離剤として、例えば、シリコーン系剥離剤を挙げることができる。このほか、ＰＥ、ＰＰ、ポリブチレン等のオレフィン系重合体または共重合体樹脂、ＰＳ、ポリビニルブチラール、ポリ酢酸ビニル、エチレン−酢酸ビニル共重合体、アクリル系樹脂、セルロール樹脂等の熱可塑性樹脂、およびこれらの混合物およびポリウレタン等の熱硬化性樹脂からなる群から適宜選択して用いることができる。剥離剤の厚さは特に限定されないが、例えば０．１〜５μｍｍである。
第１ラベル１１の剥離剤層１１４と第２ラベル１２の弱粘着剤層１２２が弱接着力で「仮着」することで、第１ラベル１１と第２ラベル１２とが接着している。
【００２１】
図３に示すように、第２ラベル１２は、一部を囲むように切り込まれている切込部ＣＬを有する。第２ラベル１２の表面１２Ｆ側の印刷層１２３には、切込部ＣＬに囲まれた部分にイラスト１０２が印刷されている。
切込部ＣＬは、複合ラベル１０の第２ラベル１２の表面１２Ｆ側から切込部ＣＬの形状に合わせたカッターを所定の押圧力で押し当てることで、第２ラベル１２にのみ形成される。
【００２２】
図１を再度参照すると、矩形形状の複合ラベル１０の四隅（４頂点）のいずれかの隅（第１頂点の一例）において、第２ラベル１２には切欠部１０５が形成されている。すなわち、切欠部１０５においては、第２ラベル１２が切断されており、第２ラベル１２よりも下側にある第１ラベル１１が露出した状態となっている。切欠部１０５において消費者が第２ラベル１２を爪で引っ掛けることで第２ラベル１２を第１ラベル１１から剥がすことが容易になる。
【００２３】
切欠部１０５が形成された隅からの切込部ＣＬまでの距離が、切欠部１０５が形成された隅以外のいずれの隅からの切込部ＣＬまでの距離よりも短くなるように、切込部ＣＬが形成される隅が四隅の中から選択されていることが好ましい。切込部ＣＬが切欠部１０５から離れている場合には、消費者が切欠部１０５から第２ラベル１２を剥がす途中で、剥がれた第２ラベル１２の部分が破損する可能性がある。それに対して、切込部ＣＬが切欠部１０５に近い場合には、消費者が切欠部１０５から第２ラベル１２を剥がす途中で第２ラベル１２の破損が生じ難くなる。
【００２４】
切込部ＣＬの位置は、複合ラベル１０の周縁から極力離間していることが好ましい。切込部ＣＬが複合ラベル１０の周縁に近過ぎると、第２ラベル１２を剥がすときに第２ラベル１２の周縁に近い細い部分が破損し易くなる。
【００２５】
次に、本実施形態の複合ラベル１０の使用方法について、図４を参照して説明する。
図４は、本実施形態の複合ラベル１０の使用方法を説明する図であり、第２ラベル１２を途中まで剥がした状態を示している。
図４では、説明のために例示的な複合ラベル１０Ａが平面形態で示されているが、複合ラベル１０Ａの第１ラベル１１は強粘着剤層１１２によって被貼付物２の湾曲した表面２Ｓに貼り付いている。そのため、切欠部１０５から第２ラベル１２を手前に指で引っ張ることで、図４に示すように第２ラベル１２を剥がすことができる。
このとき、第２ラベル１２の切込部ＣＬによって囲まれた部分（イラスト１０２が表示された部分；以下、「イラスト部分」という。）は、第１ラベル１１の表面１１Ｆに残存する。
【００２６】
第２ラベル１２を剥がすことによって露出した第１ラベルの表面１１Ｆには、イラスト１０２に関連する情報（図４に例示する複合ラベル１０Ａの場合には、情報１０３ａ）が表示されている。情報１０３ａには、本実施形態の例では「桃太郎」に関連した情報である。そのため、第１ラベル１１の表面１１Ｆに残存したイラスト１０２ａと相俟って、被貼付物２の消費者に、第２ラベル１２の表面１２Ｆとは別の、「桃太郎」に関連した視覚効果を与えることができる。
【００２７】
消費者は、イラスト部分を第１ラベル１１から剥がして、コレクションとして収集することができる。本実施形態のラベルセット１に含まれる複合ラベル１０Ａ〜１０Ｄにはそれぞれ異なるイラストが表示されている。そのため、消費者には複合ラベル１０Ａ〜１０Ｄの異なるイラスト部分をすべて収集したいと心理が生じ、異なる複合ラベルが貼付された被貼付物２を購入する動機付けが働く。その結果、本実施形態のラベルセット１によれば、消費者による被貼付物２の購買意欲を高めることが可能となる。
【００２８】
第２ラベル１２の弱粘着剤層１２２は、切込部ＣＬに囲まれたイラスト部分の粘着力が切込部ＣＬに囲まれていない部分の粘着力よりも小さくなるように構成されていることが好ましい。イラスト部分の粘着力を小さくすることで、イラスト部分を剥離・再貼付可能とする回数を多くすることができる。
【００２９】
以下、本実施形態のラベルセット１の変形例について説明する。
第１の変形例では、第２ラベル１２の弱粘着剤層１２２は、第２ラベル１２の周縁の一部（「第１部分」という。）の粘着力が、第２ラベル１２の他の部分の粘着力よりも大きくなるように形成されてもよい。例えば、第２ラベル１２の四辺のいずれかの辺に対応する端部を第１部分とした場合、当該第１部分の粘着力を他の部分の粘着力よりも大きくする。その場合、第１ラベル１１の表面１１Ｆと、第２ラベル１２の裏面１２Ｒとには、一体的な情報が印刷されていることが好ましい。つまり、第２ラベル１２において粘着力の大きい端部（第１部分）まで第２ラベル１２を剥がした状態で、当該端部を中心に、第１ラベル１１と第２ラベルとで見開き状態の一体的な情報を表出させる。それによって、より多くのまとまった情報を消費者に視認させることができる。
【００３０】
第２の変形例では、複合ラベル１０の第１ラベル１１と第２ラベル１２の間には、別のラベルを介在させてもよい。その場合、第１ラベル１１と第２ラベル１２の間に介在させる第３ラベルは、基材シートと、基材シートの表面に形成した剥離剤層と、基材シートの裏面に形成した弱粘着剤層と、を備えた構造とすることができる。第３ラベルの弱粘着剤層が第１ラベルの剥離剤層１１４と仮着し、第３ラベルの剥離剤層が第２ラベルの弱粘着剤層１２２と仮着することで、第１ラベル、第３ラベル、第２ラベルがこの順に積層される。
この変形例では、第３ラベルを第１ラベル１１および第２ラベル１２から剥がすことで、消費者が第３ラベルの表面に複数のイラスト部分を貼り付けることができる。つまり、第３ラベルがイラスト部分のコレクションシートとして機能する。
【００３１】
第３の変形例では、各複合ラベルの第２ラベル１２の表面１２Ｆには、対応するイラスト１０２に関連する情報を含む二次元コードが印刷されていてもよい。例えば、二次元コードの読み取り機能を備えたスマートフォンによって二次元コードを読み取ることで、スマートフォンが、二次元コードを解析してイラスト１０２に関連する情報を表示部に表示してもよい。それによって消費者は、イラスト１０２に関連する付加的な情報を得ることができる。
スマートフォンが二次元コードを読み取った場合、消費者をログイン用ウェブページに誘導し、当該ウェブページ上で消費者が収集したイラスト１０２を表示させるように構成してもよい。
【００３２】
以上、本発明のラベルセットの実施形態について詳細に説明したが、本発明の範囲は上記の実施形態に限定されない。また、上記の実施形態は、本発明の主旨を逸脱しない範囲において、種々の改良や変更が可能である。
例えば、上述した実施形態では、複合ラベルの形態を矩形形状としたが、その限りではない。複合ラベルの形状として、多角形形状、円形、楕円形等、任意の形状を採ることができる。
上述した実施形態の形態において、複合ラベルに含まれる各ラベルには、その全面において粘着剤層および／または剥離剤層を形成する場合に限られない。粘着剤層および／または剥離剤層は、各ラベルの表面または裏面の一部に形成してもよい。
なお、上述した実施形態では、第１ラベル１１の表面１１Ｆに情報を印刷する場合について説明したが、その限りではない。第１ラベル１１の表面１１Ｆに情報を印刷しなくてもよく、その場合でも、イラスト部分を収集したいという消費者心理が働き、消費者による被貼付物２の購買意欲を高めることができる。
【符号の説明】
【００３３】
１…ラベルセット
２…被貼付物
２Ｓ…表面
１０（１０Ａ〜１０Ｄ）…複合ラベル
１０１…テキスト情報
１０２ａ，１０２ｂ，１０２ｃ，１０２ｄ…イラスト
１０５…切欠部
１１…第１ラベル
１１Ｆ…表面
１１Ｒ…裏面
１１１…基材シート
１１２…強粘着剤層
１１３…印刷層
１１４…剥離剤層
１２…第２ラベル
１２Ｆ…表面
１２Ｒ…裏面
１２１…基材シート
１２２…弱粘着剤層
１２３…印刷層
ＣＬ…切込部
【図１】
2020052325.tif 000003
【図２】
2020052325.tif 000004
【図３】
2020052325.tif 000005
【図４】
2020052325.tif 000006